(57)【特許請求の範囲】
【請求項１】
ＡＬＣ壁パネル間の小口面間隔が５mmから２５mm程度の大目地と、ＡＬＣ壁パネル間の小口面間隔が０．５mmから３mm程度の小目地とが交差した目地交差部の目地構造であって、
前記大目地の小口面には、内部に独立気泡を有する発泡体からなる定形弾性シーリング材の少なくとも片面が貼着され、
前記小目地の小口面には、弾性テープの少なくとも片面が貼着され、
前記弾性テープは前記小目地長よりも長く延長されており、その延長部は前記大目地と前記小目地との目地交差部において該大目地に沿うように折り曲げられ、
前記大目地と前記小目地との目地交差部において前記定形弾性シーリング材が分断されることなく施されていることを特徴とするＡＬＣ壁パネルの目地交差部の目地構造。
【請求項２】
前記弾性テープ延長部の折り曲げ角部上に前記弾性テープと同材質の弾性テープが貼着されることを特徴とする請求項１に記載のＡＬＣ壁パネルの目地交差部の目地構造。
【請求項３】
前記弾性テープはブチルゴムを主成分とし、接着性を有していることを特徴とする請求項１又は請求項２に記載のＡＬＣ壁パネルの目地交差部の目地構造。
【請求項４】
前記定形弾性シーリング材と前記弾性テープとの取り合い部の前記ＡＬＣ壁パネルの厚さ方向に不定形材が施されていることを特徴とする請求項１乃至請求項３のいずれか１項に記載のＡＬＣ壁パネルの目地交差部の目地構造。
【発明の詳細な説明】
【０００１】
【発明の属する技術分野】
本発明は、ＡＬＣ（軽量気泡コンクリート）壁パネルの目地交差部の目地構造であって、特にゴミ処理施設などに用いられる防臭および防漏臭を目的としたＡＬＣ壁パネルの目地交差部の目地構造に関するものである。
【０００２】
【従来の技術】
プレキャストされたＡＬＣ壁パネルを用いた建築物には、ＡＬＣ壁パネル相互間、躯体とＡＬＣ壁パネルとの間、基礎とＡＬＣ壁パネルとの間等、クリアランス等の意味も含めて種々の隙間、すなわち目地が存在している。ＡＬＣ壁パネル短手方向の目地間隔は５〜２５mm程度の大目地、ＡＬＣ壁パネル長手方向の目地間隔は０．５〜３mm程度の小目地であるのが一般的である。この場合、ＡＬＣ壁パネル長手方向の目地間隔は該目地を伸縮目地とする場合、５〜２５mm程度が一般的である。
【０００３】
従来、これらの目地部の防水処理として、目地部表面に露出する箇所或いは目地部の隙間内部に定形或いは不定形のシーリング材を施して目地部の防水処理を行っていた。
【０００４】
一方、近年では、ゴミ焼却場等のように内部で強い臭いが発生する建築物からの漏臭を防ぐことが必要となってきている。この臭いは、主に上述した目地部の隙間部から漏洩していることが原因としてあげられており、防臭性を確保するために従来の断熱目的や防水目的で行うシーリングと同様に目地部の隙間部を挟み込む形で該目地部の表面に露出する箇所両側にシーリング材を二重に施している。特に、弱点部となりやすい目地交差部においては、不定形のシーリング材を単重または多重に施すことで対処していた。
【０００５】
【発明が解決しようとする課題】
しかしながら、防水の対象としているのは液体の水であり、臭いの伝搬は液体の水よりもはるかに粒子の小さい気体分子の分子運動により生じ、臭い分子は揮発性であることから、従来と同様のシーリングでは十分な効果が得られなかった。
【０００６】
また、不定形シーリング材は構造躯体等が存在すること等により施工出来る場所に制約があり、不定形シーリング材を目地部の表面に露出する箇所両側の全箇所に施すことは極めて困難であり、また、例えシールが出来たとしても、安定した防臭効果が得られるとは限らず、全箇所において気密性が確保出来ている保証は得られなかった。
【０００７】
また、定形シーリング材を用いる場合は目地交差部において定形シーリング材が分断されるため防水性は確保出来ても気密性の確保は出来なかった。従って、目地交差部全箇所において気密性が確保出来ない結果、漏臭の原因ともなっていた。
【０００８】
本発明は前記課題を解決するものであり、その目的とするところは、構造躯体等が存在しても施工が容易に且つ確実に出来、且つ、防水性、気密性、防臭性が確保出来るＡＬＣ壁パネルの目地交差部の目地構造を提供せんとするものである。
【０００９】
【課題を解決するための手段】
前記目的を達成するための本発明に係るＡＬＣ壁パネルの目地交差部の目地構造は、ＡＬＣ壁パネル間の小口面間隔が５mmから２５mm程度の大目地と、ＡＬＣ壁パネル間の小口面間隔が０．５mmから３mm程度の小目地とが交差した目地交差部の目地構造であって、前記大目地の小口面には、内部に独立気泡を有する発泡体からなる定形弾性シーリング材の少なくとも片面が貼着され、前記小目地の小口面には、弾性テープの少なくとも片面が貼着され、前記大目地と前記小目地との目地交差部において前記定形弾性シーリング材が分断されることなく施されていることを特徴とする。
【００１０】
本発明は、上述の如く構成したので、小目地は弾性テープにより気密性が確保され、大目地は定形弾性シーリング材により気密性が確保される。また、大目地と小目地との目地交差部では定形弾性シーリング材が分断されることなく施されているので目地交差部においても防水性、気密性、防臭性が確保出来る。
【００１１】
また、前記弾性テープはブチルゴムを主成分とし、接着性を有していることが好ましい。
【００１２】
また、前記弾性テープが前記小目地長よりも長く延長されており、その延長部が前記大目地と前記小目地との目地交差部において該大目地に沿うように折り曲げられている場合には、小目地の気密性を確保する弾性テープと、大目地の気密性を確保する定形弾性シーリング材とが密着して接続されるため目地交差部における気密性能を向上することが出来るためより確実な防水性、気密性、防臭性が確保出来る。
【００１３】
また、前記弾性テープ延長部の折り曲げ角部上に前記弾性テープと同材質の弾性テープが貼着された場合には微少な隙間を埋めて更に気密性能を確保することが出来る。
【００１４】
また、前記定形弾性シーリング材と前記弾性テープとの取り合い部の前記ＡＬＣ壁パネルの厚さ方向に不定形材を施した場合には、定形弾性シーリング材と弾性テープとの取り合い部の微少な隙間を埋めて更に気密性能を確保することが出来る。
【００１５】
【発明の実施の形態】
図により本発明に係るＡＬＣ壁パネルの目地交差部の目地構造の一実施形態を具体的に説明する。図１は本発明に係るＡＬＣ壁パネルの目地交差部の目地構造の目地交差部周辺の構成を示す斜視図、図２は本発明に係るＡＬＣ壁パネルの目地交差部の目地構造の正面断面図である。
【００１６】
図３（ａ）は図２のＡ−Ａ断面図であり、ＡＬＣ壁パネル間の小口面間隔が５mmから２５mm程度に近接する大目地の目地構造の断面図、図３（ｂ）は図３（ａ）に示す大目地における定形弾性シーリング材の厚さとＡＬＣ壁パネルの小口面間隔との関係を模式的に示す図である。
【００１７】
図４は図３（ａ）に示す大目地の目地構造において定形弾性シーリング材と併せて定形または不定形のシーリング材がＡＬＣ壁パネル表面の両側に使用された場合の断面図である。
【００１８】
図５は図２のＢ−Ｂ断面図であり、ＡＬＣ壁パネル間の小口面間隔が０．５mmから３mm程度に近接する小口面が平面で形成される小目地の目地構造の断面図、図６は図５に示す小目地の目地構造において弾性テープと併せて定形または不定形のシーリング材がＡＬＣ壁パネル表面の両側に使用された場合の断面図である。
【００１９】
図７は図５に示す小目地の目地構造において小口面がＡＬＣ壁パネルのパネル面内方向に形成された凹凸部を有する場合の一例を示す断面図、図８は図７に示す小目地の目地構造において弾性テープと併せて定形または不定形のシーリング材がＡＬＣ壁パネル表面の両側に使用された場合の断面図である。
【００２０】
図９は本発明に係るＡＬＣ壁パネルの目地交差部の目地構造において目地交差部を施工する手順を示す斜視図である。
【００２１】
図１及び図２において、ゴミ焼却場等のように内部で強い臭いが発生する建築物の外壁或いは内壁を構成し、横方向及び高さ方向に目地を介して複数配列されるＡＬＣ（軽量気泡コンクリート）壁パネル１は、該ＡＬＣ壁パネル１間の小口面間隔が５mmから２５mm程度の距離で近接している大目地２と、該ＡＬＣ壁パネル１間の小口面間隔が０．５mmから３mm程度の距離で近接している大目地２と交差する方向の小目地３とを有して配設される。
【００２２】
図２及び図３（ａ）に示すように、大目地２のＡＬＣ壁パネル１の厚さ方向略中央部には該大目地２の全長に亘って、内部に独立気泡を有する発泡体からなる定形弾性シーリング材４が大目地２と小目地３とが交差する目地交差部において分断されることなく連続的にＡＬＣ壁パネル１の小口面に貼着されている。
【００２３】
また、図２及び図５に示すように、小目地３のＡＬＣ壁パネル１の厚さ方向略中央部には該小目地３の各ＡＬＣ壁パネル１の高さ方向の小口面の全長に亘って、弾性テープ５が貼着されている。
【００２４】
定形弾性シーリング材４は、図３（ｂ）に示すように、大目地２に貼着して配置される圧縮前には、該大目地２の小口面間隔の２倍程度の厚さを有しており、大目地２に貼着して配置する際に圧縮させて使用する。定形弾性シーリング材４の幅寸法は２０mmから５０mm程度が望ましい。
【００２５】
定形弾性シーリング材４は所定の大目地２の小口面間隔に施工し易くするため容易に圧縮変形するものであり、且つ、該定形弾性シーリング材４の復元力を利用して大目地２の隣接するＡＬＣ壁パネル１相互の小口面との微小な隙間をなくすために圧縮変形後速やかに復元するものである。
【００２６】
圧縮された定形弾性シーリング材４の復元力は大目地２におけるＡＬＣ壁パネル１の小口面と該定形弾性シーリング材４との間の微小な隙間をなくすように該小口面に直交する方向に作用する。また、本実施形態の定形弾性シーリング材４は独立気泡を有する発泡体製であり、ＡＬＣ壁パネル１の母材よりも低い気体透過度を有する。
【００２７】
その材質としては上述した特徴を有するものであれば各種の材質が使用出来るが、特に日東防建工（株）の製品（商品名「コンプリシーラーＮ」）が好適である。
【００２８】
弾性テープ５は、各ＡＬＣ壁パネル１の小口面に対応する小目地３の長さよりも長く延長されており、図２及び図９に示すように、大目地２と小目地３とが交差した目地交差部において大目地２に沿うように延長して折り曲げてＡＬＣ壁パネル１の小口面に貼着されている。
【００２９】
弾性テープ５の幅寸法は５０mmから８０mm程度が望ましく、該弾性テープ５の厚さは小目地３における小口面間隔よりも若干厚い、例えば、０．７mmから３．５mm程度のものが望ましい。弾性テープ５の小目地３の長さよりも長く延長された延長部分５ａの長さは２０mm程度以上確保するのが望ましい。
【００３０】
また、図２及び図９に示すように、弾性テープ５の延長部分５ａを折り曲げてＡＬＣ壁パネル１の小口面に貼着した部分の折り曲げ角部上に重ねて小目地３を跨ぐように弾性テープ５と同種の弾性テープ５′を貼着する。弾性テープ５′の表面は両面とも粘着性または接着性を有することが望ましい。
【００３１】
そして、図９に示すように、弾性テープ５，５′の上に重ねて定形弾性シーリング材４を大目地２と小目地３とが交差する目地交差部で分断されることがないように連続させて貼着する。また、定形弾性シーリング材４、弾性テープ５，５′の夫々の取り合い部のＡＬＣ壁パネル１の厚さ方向に不定形材を施す。
【００３２】
弾性テープ５としては、ゴム状、発泡体状等の弾性のある材質を使用することが出来る。ゴム状の弾性テープ５としては、ムーニー粘度が３０〜９０、好ましくはムーニー粘度が４０〜８０の合成ゴム等を使用することが出来、例えば、ブチルゴム、ポリイソプレン、ポリイソブチレン、クロロプレン、ニトリルブタジエンやこれ等の混合材等が適用可能である。特にブチルゴムを主成分とするものが好ましい。
【００３３】
また、発泡体状の弾性テープ５は、独立気泡であれば好ましく、見かけ密度が０．０５〜０．６０（ｇ／ｃｍ3）程度、さらに好ましくは０．１２５〜０．３１０（ｇ／ｃｍ3）程度であると良い。
【００３４】
材質としては、ブチルゴム、フェノール、エポキシ、クロロプレン、ネオプレン、ポリエチレンなどを主成分とするものや、これ等の混合材等が適用可能である。
【００３５】
見かけ密度における固相の重量分率Ｗｓ、及び容積分率Ｖｓは、次式から計算される。
【００３６】
【数１】
0004111630.tif 000002
【００３７】
これらの弾性テープ５は、弾性テープ５自身に粘着性があるものが好ましいが、粘着性がない材質を用いる場合は、表面に接着剤を塗布して用いたり両面テープを貼着して用いても良い。
【００３８】
また、図４及び図６に示すように、小目地３及び大目地２のＡＬＣ壁パネル１の表面両側に、他の定形または不定形のシーリング材６が併用される場合もある。
【００３９】
この併用される定形または不定形のシーリング材６は単重で施される場合と多重で施される場合があり、図４及び図６では多重で且つ弾性テープ５或いは定形弾性シーリング材４を夫々挟むようにＡＬＣ壁パネル１の表面の両側に施された一例を示す。
【００４０】
また、ＡＬＣ壁パネル１の小口面は一平面のみで構成されていなくても良い。即ち、図７及び図８に示すように、ＡＬＣ壁パネル１の小口面にパネル面内方向に突起する突起形状７があった場合、弾性テープ５は図７及び図８に示すように、突起形状部７に施しても良いし、突起形状部７以外の平坦面からなる小口基面部に設置しても良い。また、小口基面部と突起形状部７とに跨がって施しても良い。
【００４１】
但し、弾性テープ５の両面全面が必ずしも小目地３におけるＡＬＣ壁パネル１の小口面に接している必要はないが、該小口面に直交する方向から見た時の弾性テープ５の両表面の少なくとも一部は小口面の長手方向に見て連続して接するように施さなければならない。
【００４２】
また、大目地２と小目地３とが交差する目地交差部において互いに接する弾性テープ５と弾性テープ５′との取り合い部、弾性テープ５と定形弾性シーリング材４との取り合い部、及び弾性テープ５′と定形弾性シーリング材４との取り合い部に接着性または粘着性のある不定形材、例えば不定形シーリング材や接着剤等を施すことにより更に微小隙間をなくすことが出来る。
【００４３】
上記構成によれば、大目地２は定形弾性シーリング材４により気密性が確保され、小目地３は弾性テープ５により気密性が確保される。また、大目地２と小目地３との目地交差部では定形弾性シーリング材４が分断されることなく施されているので目地交差部においても防水性、気密性、防臭性が確保出来る。
【００４４】
また、弾性テープ５が小目地３の長さよりも長く延長された延長部分５ａを有し、該延長部分５ａが大目地２と小目地３との目地交差部において該大目地２に沿うように折り曲げられたことで、小目地３の気密性を確保する弾性テープ５と、大目地２の気密性を確保する定形弾性シーリング材４とが密着して接続されるため目地交差部における気密性能を向上することが出来、より確実な防水性、気密性、防臭性が確保出来る。
【００４５】
また、弾性テープ５の延長部分５ａの折り曲げ角部上に弾性テープ５と同材質の弾性テープ５′が貼着されたことで微少な隙間を確実に埋めて更に気密性能を確保することが出来る。
【００４６】
また、定形弾性シーリング材４と弾性テープ５との取り合い部のＡＬＣ壁パネルの厚さ方向に不定形材を施したことで、定形弾性シーリング材４と弾性テープ５との取り合い部の微少な隙間を確実に埋めて更に気密性能を確保することが出来る。
【００４７】
【発明の効果】
本発明は、上述の如き構成と作用とを有するので、構造躯体等が存在しても施工が容易に且つ確実に出来、且つ、防水性、気密性、防臭性が確保出来るＡＬＣ壁パネルの目地交差部の目地構造を提供することが出来る。
【００４８】
即ち、ＡＬＣ壁パネル相互間の小目地は弾性テープにより気密性が確保され、大目地は定形弾性シーリング材により気密性が確保される。また、大目地と小目地との目地交差部では定形弾性シーリング材が分断されることなく施されているので目地交差部においても防水性、気密性、防臭性が確保出来る。
【００４９】
また、弾性テープが小目地長よりも長く延長されており、その延長部が大目地と小目地との目地交差部において該大目地に沿うように折り曲げられている場合には、小目地の気密性を確保する弾性テープと、大目地の気密性を確保する定形弾性シーリング材とが密着して接続されるため目地交差部における気密性能を向上することが出来るためより確実な防水性、気密性、防臭性が確保出来る。
【００５０】
また、弾性テープ延長部の折り曲げ角部上に該弾性テープと同材質の弾性テープが貼着された場合には微少な隙間を埋めて更に気密性能を確保することが出来る。
【００５１】
また、定形弾性シーリング材と弾性テープとの取り合い部のＡＬＣ壁パネルの厚さ方向に不定形材を施した場合には、定形弾性シーリング材と弾性テープとの取り合い部の微少な隙間を埋めて更に気密性能を確保することが出来る。
【００５２】
従って、雨水等の侵入を防ぐことが出来るのはもとより気体透過度の低い材質で構成された弾性テープ及び定形弾性シーリング材を用いることにより高い気密性が確保出来、その結果、気体の分子運動によって生じる臭いの伝搬を阻止出来るため高い防臭性を確保出来る。
【図面の簡単な説明】
【図１】本発明に係るＡＬＣ壁パネルの目地交差部の目地構造の目地交差部周辺の構成を示す斜視図である。
【図２】本発明に係るＡＬＣ壁パネルの目地交差部の目地構造の正面断面図である。
【図３】（ａ）は図２のＡ−Ａ断面図であり、ＡＬＣ壁パネル間の小口面間隔が５mmから２５mm程度に近接する大目地の目地構造の断面図、（ｂ）は（ａ）に示す大目地における定形弾性シーリング材の厚さとＡＬＣ壁パネルの小口面間隔との関係を模式的に示す図である。
【図４】図３（ａ）に示す大目地の目地構造において定形弾性シーリング材と併せて定形または不定形のシーリング材がＡＬＣ壁パネル表面の両側に使用された場合の断面図である。
【図５】図２のＢ−Ｂ断面図であり、ＡＬＣ壁パネル間の小口面間隔が０．５mmから３mm程度に近接する小口面が平面で形成される小目地の目地構造の断面図である。
【図６】図５に示す小目地の目地構造において弾性テープと併せて定形または不定形のシーリング材がＡＬＣ壁パネル表面の両側に使用された場合の断面図である。
【図７】図５に示す小目地の目地構造において小口面がＡＬＣ壁パネルの高さ方向に形成された凹凸部を有する場合の一例を示す断面図である。
【図８】図７に示す小目地の目地構造において弾性テープと併せて定形または不定形のシーリング材がＡＬＣ壁パネル表面の両側に使用された場合の断面図である。
【図９】本発明に係るＡＬＣ壁パネルの目地交差部の目地構造において目地交差部を施工する手順を示す斜視図である。
【符号の説明】
１…ＡＬＣ壁パネル
２…大目地
３…小目地
４…定形弾性シーリング材
５，５′…弾性テープ
５ａ…延長部分
６…シーリング材
７…突起形状部
【図１】
0004111630.tif 000003
【図２】
0004111630.tif 000004
【図３】
0004111630.tif 000005
【図４】
0004111630.tif 000006
【図５】
0004111630.tif 000007
【図６】
0004111630.tif 000008
【図７】
0004111630.tif 000009
【図８】
0004111630.tif 000010
【図９】
0004111630.tif 000011